(57)【要約】【課題】食べ物をスプーン等ですくい取りやすく、片手で持ちやすく、しかも、複数枚を重ねた場合でもコンパクトに収納できる食器を提供すること【解決手段】底部２と、底部２の周囲から外側方向に立ち上がる周壁部３とを備えた食器１において、周壁部３が、外側に膨らんだ湾曲状に形成された湾曲壁部４と、湾曲壁部４に連続させて形成された傾斜壁部５とを備え、湾曲壁部４の上縁部４ａが内側に微妙に反り返っている。【選択図】図２
0003204413.tif 000002
【実用新案登録請求の範囲】
【請求項１】
底部と、該底部の周囲から外側方向に立ち上がる周壁部とを備えた食器において、
前記周壁部が、
外側に膨らんだ湾曲状に形成された湾曲壁部と、
該湾曲壁部に連続させて形成された傾斜壁部とを備え、
前記湾曲壁部の上縁部が内側に微妙に反り返っていることを特徴とする食器。
【請求項２】
前記傾斜壁部の立ち上がり角度が、前記湾曲壁部に近い側から遠い側に向けて小さくなっていることを特徴とする請求項１記載の食器。
【考案の詳細な説明】
【技術分野】
【０００１】
本考案は食器に関し、より詳細には、食べ物をすくい取りやすく、使い勝手が良く、収納性にも優れた食器に関する。
【背景技術】
【０００２】
食事の際に使用される食器は、底部と、底部の周囲から立ち上がる周壁部とを備え、周壁部の上縁部が開口された形状となっている。前記周壁部の立ち上がり角度や大きさ等が異なる種々の形態を有する食器が広く利用されているが、一般的な食器は、前記周壁部の上縁部が外側に向けて広がった形態となっている。
【０００３】
前記上縁部が外側に向けて広がった形態の食器に、小さく刻まれた肉や野菜などの粒状の食べ物を含む料理を盛り付けて、スプーン等ですくい取りながら食べる場合、料理の量が少なくなってくると、食べ物をスプーンで容易にすくい取ることができなくなる。
すなわち、スプーンで食器内の食べ物をすくい取ろうとすると、粒状の食べ物がスプーンの縁に押されて周壁部の内面に沿って押し上げられるだけで、粒状の食べ物をスプーンの中になかなか取り込めず、粒状の食べ物が食器の上縁部からこぼれ落ちることもあり、料理を最後まで残さずにきれいに食べることが難しいという課題があった。
【０００４】
特に、けがや病気等で手が不自由な人、介護が必要な人、又は幼児にとっては、食べにくさは一層顕著になり、食事が円滑に行えるような工夫が必要であった。
このような課題を解決するために、下記の特許文献１には、周壁部の上部に、内側に突出させた係止壁部を備えた食器が開示されている。
【０００５】
図７は、下記の特許文献１に開示された従来の食器を示す図であり、（ａ）は平面図、（ｂ）は（ａ）におけるｂ−ｂ線断面図である。
食器１０は、底壁部１１と、底壁部１１から立ち上がる周壁部１２とを備え、周壁部１２の上縁部１２ａが開口された形状となっており、周壁部１２の上縁部１２ａの一部に、内側に向けて水平に突出させた係止壁部１３が形成されている。
【０００６】
食器１０によれば、食器内に入れたスプーン１５を周壁部１２の内面に沿って上方向に移動させて食べ物をすくいながら係止壁部１３の下面にスプーン１５を押え付けることで、スプーン１５に食べ物を容易に入れることができるとしている。
【０００７】
しかしながら、特許文献１記載の食器１０では、係止壁部１３が、周壁部１２の上縁部１２ａから内側に向けて水平に突出形成されているので、係止壁部１３と周壁部１２との内側角部１３ａに食べ物が溜まりやすく、また、スプーン１５で食べ物をすくい上げる際に、スプーン１５が係止壁部１３に引っ掛かりやすく、特に手が不自由な人、介護が必要な人や幼児にとっては、食べ物をスプーン１５にうまく載せることが難しいという課題があった。
【０００８】
また、特許文献１記載の食器１０では、係止壁部１３が、周壁部１２の上縁部１２ａから内側に向けて水平に突出形成されているので、洗浄時に内側角部１３ａに洗い残しが生じやすく、さらに、この食器１０を複数枚重ねて収納しようとした場合、係止壁部１３が邪魔となって食器１０同士をコンパクトに重ね合わせることができず、複数枚の食器１０を収納する際に嵩張りやすく、収納スペースが多く必要になるという課題があった。
【先行技術文献】
【特許文献】
【０００９】
【特許文献１】特開平８−２９４４３８号公報
【考案の概要】
【課題を解決するための手段及びその効果】
【００１０】
本考案は上記課題に鑑みなされたものであって、食べ物をスプーンですくい取りやすく、手で持ちやすく、しかも、複数枚を重ねた場合でもコンパクトに収納できる食器を提供することを目的としている。
【００１１】
上記目的を達成するために本考案に係る食器（１）は、底部と、該底部の周囲から外側方向に立ち上がる周壁部とを備えた食器において、前記周壁部が、外側に膨らんだ湾曲状に形成された湾曲壁部と、該湾曲壁部に連続させて形成された傾斜壁部とを備え、前記湾曲壁部の上縁部が内側に微妙に反り返っていることを特徴としている。
【００１２】
上記食器（１）によれば、前記周壁部に湾曲状の前記湾曲壁部が形成され、かつ前記湾曲壁部の上縁部が内側に微妙に反り返っているので、スプーン等を前記湾曲壁部の内面に沿って前記底部から前記上縁部に向けてすくい上げるだけで、食器内に残った食べ物をスプーン内に容易かつ確実にすくい取ることができる。また、前記湾曲壁部が湾曲状に形成されているので、前記湾曲壁部の内側に食べ物が溜まることもなく、スプーン等でのすくい残しをなくすことができ、手が不自由な人、介護が必要な人や幼児であっても料理を最後まで残さずにきれいに食べることができ、また、洗浄時に前記湾曲壁部の内面に洗い残しが生じにくく、洗浄が容易に行える。
また、前記湾曲壁部の上縁部が内側に反り返っているので、例えば、親指の第１関節を前記湾曲壁部の上縁部に引っ掛けやすく、片手で食器の持ち上げを容易に行うことができる。
さらに、前記湾曲壁部に連続させて前記傾斜壁部が形成されているので、湾曲状をした前記湾曲壁部を有していたとしても互いに重ね合わせやすく、複数枚の当該食器を重ねた場合でもコンパクトに収納することができ、収納性にも優れたものとすることができる。
【００１３】
また本考案に係る食器（２）は、上記食器（１）において、前記傾斜壁部の立ち上がり角度が、前記湾曲壁部に近い側から遠い側に向けて小さくなっていることを特徴としている。
【００１４】
上記食器（２）によれば、前記傾斜壁部の立ち上がり角度が、前記湾曲壁部に近い側から遠い側に向けて小さくなっている、換言すれば、前記湾曲壁部と対向している面の前記傾斜壁部の立ち上がり角度が、前記湾曲壁部に近い側の立ち上がり角度よりも小さくなっているため、当該食器を複数枚重ねて収納する際に、前記湾曲壁部の部分がより重ね合わせやすくなり、よりコンパクトに重ねて収納することが可能となる。
【図面の簡単な説明】
【００１５】
【図１】本考案の実施の形態に係る食器の平面図である。
【図２】実施の形態に係る食器の正面図である。
【図３】図１におけるIII−III線断面図である。
【図４】図１におけるIV−IV線断面図である。
【図５】実施の形態に係る食器内に残った食べ物を湾曲壁部側に寄せて、スプーンですく上げる時の状態変化を模式的に示す図である。
【図６】実施の形態に係る食器を複数枚重ねた状態を示す断面図であり、（ａ）は食器を互い違いの向きで重ねた場合、（ｂ）は食器を同じ向きで重ねた場合を示した図である。
【図７】従来の食器を示す図であり、（ａ）は平面図、（ｂ）は（ａ）におけるｂ−ｂ線断面図である。
【考案を実施するための形態】
【００１６】
以下、本考案に係る食器の実施の形態を図面に基づいて説明する。図１は、実施の形態に係る食器を示す平面図であり、図２は正面図、図３は図１におけるIII−III線断面図、図４は図１におけるIV−IV線断面図である。
【００１７】
食器１は、底部２と、底部２の周囲から立ち上がる周壁部３とを備え、周壁部３の上縁部３ａにより開口が形成されている。底部２と周壁部３とは一体に形成されている。
食器１の材質は特に限定されない。食器１を使用する用途・目的等に応じて適宜選択することができ、例えば、陶磁器製、木製、漆器製、金属製、ガラス製、プラスチック製、紙製、アルミ箔製等、種々の材質を用いることができる。
また、食器１の大きさは特に限定されない。一般的な食卓用皿として使用する場合は、直径（長径）が３０ｃｍ程度以下のものとすることが使い勝手や収納性の観点から好ましい。
【００１８】
周壁部３は、湾曲壁部４と、湾曲壁部４に連続させて形成された傾斜壁部５とを備えている。本実施の形態では、周壁部３は、平面視略楕円形状に形成されている。湾曲壁部４と傾斜壁部５とは一体に形成されており、周壁部３の楕円長軸Ｌ方向の一方側に湾曲壁部４が形成されている。
【００１９】
湾曲壁部４は、外側に膨らんだ湾曲状に形成され、湾曲壁部４の上縁部４ａが内側に微妙に反り返っている形状、換言すれば、湾曲壁部４の上縁部４ａが、湾曲壁部４の外周端面４ｂよりもやや内側に位置するように形成されている。湾曲壁部４は、周壁部３の１／４から１／５程度を占めるように、周縁部３の一部に形成されている。湾曲壁部４は、楕円長軸Ｌを中心に対称に形成、すなわち、湾曲壁部４の上縁部４ａのうち最も内側に位置する部分が楕円長軸Ｌ上に位置するように形成されているが、湾曲壁部４の上縁部４ａのうち最も内側に位置する部分が楕円長軸Ｌ上からずれた位置となるように形成してもよい。
【００２０】
傾斜壁部５は、上縁部５ａから底部２に向けて略すり鉢状に傾斜させて形成されている。
傾斜壁部５の立ち上がり角度は、湾曲壁部４に近い側から遠い側に向けて小さくなっている。すなわち、湾曲壁部４と対向している（遠い側の）傾斜壁部５の立ち上がり角度α（図３参照）が、湾曲壁部４と対向していない（近い側の）傾斜壁部５の立ち上がり角度β（図４参照）より小さくなるように、傾斜壁部５の傾斜が形成されている。角度αは２５度から４５度前後となるように設定され、角度βは３５度から５５度前後となるように設定されている。
【００２１】
また、平面視において、湾曲壁部４の上縁部４ａにより形成される円弧の半径が、湾曲壁部４と対向している面の傾斜壁部５の上端部５ａにより形成される円弧の半径よりも大きくなるように、周壁部３が形成されている。
換言すれば、湾曲壁部４の上縁部４ａのカーブ（曲線）がゆるく、湾曲壁部４と対向する面の傾斜壁部５の上端部５ａのカーブ（曲線）がきつい、すなわち、周壁部３の上縁部３ａの楕円形状は、湾曲壁部４と対向する面の傾斜壁部５の上端部５ａ側がやや尖った卵形状となっている。
周壁部３の上縁部３ａは、湾曲壁部４の上縁部４ａと傾斜壁部５の上縁部５ａとで連続して形成され、周壁部３の上縁部３ａは、湾曲壁部４側から、湾曲壁面４に対向する面の傾斜壁部５に向けて緩やかに下に傾斜した形状、すなわち、湾曲壁部４に近い側から遠い側に向けて緩やかに下に傾斜した形状となっている。
【００２２】
図５は、実施の形態に係る食器１０内に残った食べ物を食器１０の湾曲壁部４側に寄せて、スプーンですく上げる時の状態変化を模式的に示す図である。図中の符号６は、スプーン、符号７は粒状の食べ物を示している。粒状の食べ物には、例えば、粒が小さな豆類、米などの穀物類、小さく切り刻んだ野菜、果物、肉、ゼリー状の食品などが含まれる。
【００２３】
食器１０の底部２の上に残っている食べ物７をスプーン６で湾曲壁部４側に寄せると、食べ物７がスプーン６に押されながら湾曲壁部４に沿って押し上げられていく（ａの状態）。
その後、スプーン６を湾曲壁部４に沿ってさらにすくい上げて、湾曲壁部４の内壁面の変曲点４ｃ付近にスプーン６が到達すると、スプーン６の端に食べ物７が乗り上げていく（ｂの状態）。
その後、さらにスプーン６を湾曲壁部４に沿ってすくい上げて、湾曲壁部４上部の内側に反り返っている上部湾曲面部４ｄにスプーン６が到達すると、スプーン６の端に乗り上げていた食べ物が、スプーン６の中央付近に自然に落とし込まれていく（ｃの状態）。
なお、粒状の食べ物だけでなく、他の形状（固体、液体を含む）をした食べ物のすくい取り等も容易となる。例えば、パスタ等の麺類をフォークで巻取る場合、湾曲壁部４の内面にフォークの先端を当てながら麺類を巻き取ると、スプーンを使用しなくても麺類の巻取りが簡単に行える。
【００２４】
図６は、実施の形態に係る食器１を複数枚（この場合、３枚）重ねた状態を示す断面図であり、（ａ）は食器を互い違いの向きで重ねた場合、（ｂ）は食器を同じ向きで重ねた場合を示した図である。
食器１は、上縁部４ａが内側に反り返っている湾曲壁部４を有しているが、湾曲壁部４の内側への反り返りはわずかであり、しかも湾曲壁部４に連続して形成された傾斜壁部５の傾斜形状によって、食器を互い違いの向きに重ねた場合でも、同じ向きで重ねた場合であっても、互いに重ねやすくなっており、複数枚の食器１を重ねた場合でもコンパクトに収納することが可能である。また、食器洗浄機等にも嵩張らずにセットすることができる。
【００２５】
上記実施の形態に係る食器１によれば、周壁部３の一部に、湾曲状に形成された湾曲壁部４が形成され、かつ湾曲壁部４の上縁部４ａが内側に微妙に反り返っているので、スプーン等を湾曲壁部４の内壁面に沿って底部２から上縁部４ａに向けてすくい上げることで、食器１内に残った食物をスプーン内に容易かつ確実にすくい取ることができる。また、湾曲壁面４が湾曲状に形成されているので、湾曲壁面４の内側に食べ物が溜まることもなく、スプーン等でのすくい残しをなくすことができ、手が不自由な人、介護が必要な人や幼児であっても料理を最後まで残さずにきれいに食べることができ、また、洗浄時に湾曲壁部４の内壁面に洗い残しが生じにくく、洗浄も容易にでき、食器を衛生的に保つことができる。
【００２６】
また、湾曲壁部４の上縁部４ａが内側に反り返っているので、例えば、親指の第１関節を湾曲壁部４の上縁部４ａに引っ掛けやすく、片手で食器１の持ち上げを容易に行うことができる。
【００２７】
さらに、傾斜壁部５が、上縁部５ａから底部２に向けて略すり鉢状に傾斜させて形成されているので、湾曲壁部４を有していても食器１どうしを同じ向きでも互い違いの向きでも重ねやすく、複数枚の食器１を重ねた場合でもコンパクトに収納することができ、収納性にも優れたものとすることができる。
【００２８】
また、上記食器１によれば、傾斜壁部５の立ち上がり角度が、湾曲壁部４に近い側から遠い側に向けて小さくなっている、すなわち、湾曲壁部４と対向している面の傾斜壁部５の立ち上がり角度αが、湾曲壁部４と対向していない面の傾斜壁部５の立ち上がり角度βより小さくなっているので、食器１を複数枚重ねて収納する際に、湾曲壁部４の部分がより重ね合わせやすくなり、よりコンパクトに重ねて収納することが可能となる。
【００２９】
また、上記食器１によれば、湾曲壁部４の上縁部４ａにより形成される円弧の半径が、湾曲壁部４と対向する面の傾斜壁部５の上端部５ａにより形成される円弧の半径より大きいので、上記と同様に、食器１を複数枚重ねて収納する際に、湾曲壁部４の部分がより重ね合わせやすく、よりコンパクトに重ねて収納できる効果を高めることができる。
【００３０】
また、上記食器１によれば、周壁部３の上縁部３ａが、湾曲壁部４側から、該湾曲壁面４に対向する面の傾斜壁部５に向けて緩やかに下に傾斜した形状となっているので、当該食器１を複数枚重ねて収納する際に、湾曲壁部４の部分がより重ね合わせやすく、よりコンパクトに重ねて収納できる効果を高めることができる。なお、周壁部３の上縁部３ａは、湾曲壁部４側から、該湾曲壁面４に対向する面の傾斜壁部５に向けて緩やかに凹んだ形状に形成してもよく、この場合も上記と同様の効果を得ることができる。
【００３１】
なお、上記実施の形態に係る食器１では、平面視略楕円形状に形成されている場合について説明したが、食器１の平面視形状は楕円に限定されるものではなく、略円形状、略多角形状などの形状とすることもでき、その際には、互いに重ねやすいものとなるように、周壁部３の上縁部３ａ、すなわち湾曲壁部４の上縁部４ａと傾斜壁部５の上縁部５ａの高さや凹み形状等の調整を行う。
また、食器１の底部２は、略平坦な形状の他、湾曲壁部４側に向けて下に傾斜した形状とすることができ、係る傾斜形状とすることで、底部２の上の食物を湾曲壁部４側に寄せやすい形状とすることができる。
【符号の説明】
【００３２】
１  食器
２  底部
３  周壁部
３ａ  上縁部
４  湾曲壁部
４ａ  上縁部
４ｂ  外周端面
４ｃ  変曲点
４ｄ  上部湾曲面部
５  傾斜壁部
５ａ  上縁部
【図１】
0003204413.tif 000003
【図２】
0003204413.tif 000004
【図３】
0003204413.tif 000005
【図４】
0003204413.tif 000006
【図５】
0003204413.tif 000007
【図６】
0003204413.tif 000008
【図７】
0003204413.tif 000009